(57)【要約】【課題】  キャップとキャップに係合するチャックとの係合隙間を可変でき、キャップとチャックとの係合及び取り外しを容易にできるキャップ締付装置を提供することを目的とする。【解決手段】  複数の凹溝が外周に沿って並設された有底筒状のキャップＣにチャック３１を係合させ、チャック３１を回転させてキャップＣを容器の口部に締め付けるキャップ締付装置であって、チャック３１には、凹溝に係合する突起部３１ａが内周に沿って形成されると共に、突起部３１ａがチャック３１の軸方向の開口端に向かって径方向に広がるようにテーパ状に形成され、キャップＣの天面に当接するストッパー３２と、ストッパー３２をキャップのＣ軸方向に沿ってスライドさせるスライド機構とを備える。【選択図】  図３
2006131266.tif 000002
【特許請求の範囲】
【請求項１】
複数の凹溝が外周に沿って並設された有底筒状のキャップにチャックを係合させ、チャックを回転させてキャップを容器の口部に締め付けるキャップ締付装置であって、
前記チャックには、前記凹溝に係合する突起部が内周に沿って形成されると共に、該突起部が該チャックの軸方向の開口端に向かって径方向に広がるようにテーパ状に形成され、
前記キャップの天面に当接するストッパーと、
前記ストッパーをキャップの軸方向に沿ってスライドさせるスライド機構と、
を備える、
ことを特徴とするキャップ締付装置。
【請求項２】
前記ストッパーは、軸方向の下方側外周に螺旋状の雄ネジ部を備えると共に、
前記チャックは、軸方向の上方側内周に前記雄ネジ部が羅合する雌ネジ部を備え、
前記スライド機構は、前記ストッパーを回転させ前記雄ネジ部と前記雌ネジ部との羅合位置を変化させることにより、該ストッパーを前記キャップの軸方向に沿ってスライドさせる、
ように構成されていることを特徴とする請求項１に記載のキャップ締付装置。
【請求項３】
前記ストッパーには、軸方向の上方側に、外周に沿って所定の間隔毎で複数の凹部が備えられ、
前記チャックには、前記凹部に向かって周壁を貫通するネジ孔と、該ネジ孔に羅合してその頂部を前記凹部に係合するネジ部材とが備えられている、
ことを特徴とする請求項１又は請求項２に記載のキャップ締付装置。
【請求項４】
前記ストッパーには、前記複数の凹部の夫々に対応付けられた識別マークが表示され、
オペレータが外部より前記識別マークを目視できるように、当該ストッパーを覆うケースに開口孔が形成されている、
ことを特徴とする請求項１乃至請求項３の何れか記載のキャップ締付装置。
【請求項５】
前記ストッパーには、軸方向に沿って貫通する複数の貫通孔、又は、下端から軸方向に沿って凹む複数の凹穴が備えられ、
前記ストッパーの下方から、前記貫通孔又は前記凹穴に工具を係合させ、該工具を介して該ストッパーを回転させることができるように構成されている、
ことを特徴とする請求項１乃至請求項４の何れか記載のキャップ締付装置。
【発明の詳細な説明】
【技術分野】
【０００１】
本発明は、例えばシャンプー、リンス、液体石鹸等の液状物を充填した容器の口部に、キャップをねじ込んで締め付けるキャップ締付装置に関する。
【背景技術】
【０００２】
従来、キャップを保持するチャックとチャックを回転させる回動機構とを備え、キャップを回転させながら容器の口部にキャップを羅合させるキャップ締付装置が知られている。また、キャップには外周に沿って複数の凹溝が並設され、チャックには、このキャップの外周が挿通する貫通孔が備えられると共に、この貫通孔の内周に沿って、キャップの凹溝に係合する突起が複数備えられ、キャップを回転させる際に、チャックの突起をキャップの凹溝に係合させ、チャックがキャップを保持できるように構成されているものがある（例えば、特許文献１参照）。
【特許文献１】特開平９-２７８０８８号公報
【発明の開示】
【発明が解決しようとする課題】
【０００３】
前記のキャップ締付装置によれば、チャックの突起をキャップの凹溝に係合させ、キャップを回転させて容器の口部に締め付けるに伴って、キャップが径方向にふくらんで、チャックの突起部がキャップの凹溝に喰い込み、キャップを容器の口部に締め付けた後、キャップとチャックとの取り外しが困難になるという問題があった。さらに、キャップの加工精度がばらついて凹溝の寸法が変化すると、キャップとチャックとの係合及び取り外しが困難になる虞があった。
【０００４】
そこで、本発明は、キャップとキャップに係合するチャックとの係合隙間を可変でき、キャップとチャックとの係合及び取り外しを容易にできるキャップ締付装置を提供することを目的とする。
【課題を解決するための手段】
【０００５】
かかる目的を達成するためになされた請求項１に記載の発明は、複数の凹溝が外周に沿って並設された有底筒状のキャップにチャックを係合させ、チャックを回転させてキャップを容器の口部に締め付けるキャップ締付装置であって、前記チャックには、前記凹溝に係合する突起部が内周に沿って形成されると共に、該突起部が該チャックの軸方向の開口端に向かって径方向に広がるようにテーパ状に形成され、前記キャップの天面に当接するストッパーと、前記ストッパーをキャップの軸方向に沿ってスライドさせるスライド機構と、を備えることを特徴とする。
【０００６】
請求項１に記載のキャップ締付装置によれば、前記チャックには、前記凹溝に係合する突起部が内周に沿って形成されると共に、該突起部が該チャックの軸方向の開口端に向かって径方向に広がるようにテーパ状に形成され、前記キャップの天面に当接するストッパーと、前記ストッパーをキャップの軸方向に沿ってスライドさせるスライド機構と、を備えているので、スライド機構を操作してストッパーの位置を軸方向に移動させ、キャップの凹部とチャックの凸部との径方向の係合隙間を調整し、キャップとチャックとの係合及び取り外しの際の、操作性を容易に調整できる。
【０００７】
次に、請求項１に記載のキャップ締付装置は、請求項２に記載の発明のように、前記ストッパーに、軸方向の下方側外周に螺旋状の雄ネジ部を備えると共に、前記チャックに、軸方向の上方側内周に前記雄ネジ部が羅合する雌ネジ部を備えることにより、前記スライド機構が、前記ストッパーを回転させ前記雄ネジ部と前記雌ネジ部との羅合位置を変化させ、該ストッパーを前記キャップの軸方向に沿ってスライドさせることができる。
【０００８】
次に、請求項１又は請求項２に記載のキャップ締付装置は、請求項３に記載の発明のように、前記ストッパーには、軸方向の上方側に、外周に沿って所定の間隔毎で複数の凹部が備えられ、前記チャックには、前記凹部に向かって周壁を貫通するネジ孔と、該ネジ孔に羅合してその頂部を前記凹部に係合するネジ部材とが備えられていることにより、ネジ部材を凹部に係合させてネジ締めし、ストッパーを所定の位置でチャックに固定できる。
【０００９】
次に、請求項１乃至請求項３の何れか記載のキャップ締付装置は、請求項４に記載の発明のように、前記ストッパーには、前記複数の凹部の夫々に対応付けられた識別マークが表示され、オペレータが外部より前記識別マークを目視できるように、当該ストッパーを覆うケースに開口孔が形成されていることにより、オペレータが、ストッパーを回転させつつ、開口孔より識別マークを確認し所望の回転量を得ることができ、延いては、チャックの突起部とキャップの凹溝との係合隙間を容易に調整できる。
【００１０】
次に、請求項１乃至請求項４の何れか記載のキャップ締付装置は、請求項５に記載の発明のように、前記ストッパーには、軸方向に沿って貫通する複数の貫通孔、又は、下端から軸方向に沿って凹む複数の凹穴が備えられていることにより、前記ストッパーの下方から、前記貫通孔又は前記凹穴に工具を係合させ、該工具を介して該ストッパーを回転させることができる。
【発明の効果】
【００１１】
本発明のキャップ締付装置によれば、チャックには、凹溝に係合する突起部が内周に沿って形成されると共に、突起部がチャックの軸方向の開口端に向かって径方向に広がるようにテーパ状に形成され、キャップの天面に当接するストッパーと、ストッパーをキャップの軸方向に沿ってスライドさせるスライド機構とを備えているので、スライド機構を操作してストッパーの位置を軸方向に移動させ、キャップの凹部とチャックの凸部との径方向の係合隙間を調整し、キャップとチャックとの係合及び取り外しの際の、操作性を容易に調整できる。また、本発明のキャップ締付装置によれば、ストッパーに、軸方向の下方側外周に螺旋状の雄ネジ部を備えると共に、チャックに、軸方向の上方側内周に雄ネジ部が羅合する雌ネジ部を備えることにより、スライド機構が、ストッパーを回転させ雄ネジ部と雌ネジ部との羅合位置を変化させ、ストッパーをキャップの軸方向に沿ってスライドさせることができる。
【００１２】
また、本発明のキャップ締付装置によれば、ストッパーには、軸方向の上方側に、外周に沿って所定の間隔毎で複数の凹部が備えられ、チャックには、凹部に向かって周壁を貫通するネジ孔と、ネジ孔に羅合してその頂部を凹部に係合するネジ部材とが備えられていることにより、ネジ部材を凹部に係合させてネジ締めし、ストッパーを所定の位置でチャックに固定できる。また、本発明のキャップ締付装置によれば、ストッパーには、複数の凹部の夫々に対応付けられた識別マークが表示され、オペレータが外部より前記識別マークを目視できるように、ストッパーを覆うケースに開口孔が形成されていることにより、オペレータが、開口孔より識別マークを確認し、所望の回転量を得ることができ、延いては、チャックの突起部とキャップの凹溝との係合隙間を容易に調整できる。さらに、本発明のキャップ締付装置によれば、ストッパーには、軸方向に沿って貫通する複数の貫通孔、又は、下端から軸方向に沿って凹む複数の凹穴が備えられていることにより、ストッパーの下方から、貫通孔又は凹穴に工具を係合させ、工具を介してストッパーを回転させることができる。
【発明を実施するための最良の形態】
【００１３】
次に、本発明のキャップ締付装置の一実施例を図面にもとづいて説明する。図１は、本発明の一実施例のキャップ締付装置の外観図、図２は、図１中の矢印Ａ方向から表した同実施例のキャップ締付装置の外観図、図３は、同実施例のキャップ締付装置におけるキャップ締付部の構成を表す図であって、図３（ａ）は軸方向上方から表した上面図、図３（ｂ）は、図３（ａ）中のＰ−Ｐ断面図、図３（ｃ）は、軸方向下方から表した一部の下面図、図４（ａ）は、図３（ｂ）中のＹ−Ｙ断面図、図４（ｂ）は、図３（ｂ）中のＵ−Ｕ断面図である。
【００１４】
図１に表したように、キャップ締付装置１は、ベース部材２、ベース部材２に直立する支柱３、支柱３に対してスライド自在に係合する筐体４、筐体４に固定され駆動回路を備えた計装ボックス５、筐体４の上方に固定されたモータ６、モータ６の駆動力が伝達されて回動する回動軸７、回動軸７に一体に形成されスプリング９の上方への位置規制をするスプリング止め８、スプリング止め８とチャック締付部１０との間に配設されキャップ締付部１０を下方に向けて付勢するスプリング９、回動軸７に接続され回動軸７と共に回動動作するキャップ締付部１０、キャップ締付部１０を上下にスライドさせるためのエアシリンダ１１、支柱３に対する筐体４のスライド動作を係止する固定レバー１２、ベース部材２に載置された容器Ｖを固定するためのクランプ１２、１３、クランプ１２を容器Ｖに向かってスライド動作させるためのエアシリンダ１４、等を備えている。
【００１５】
また、図２に表したように、キャップ締付装置１は、軸方向が上下に配設され、上端が筐体４に固定されると共に、下方よりネジ付シャフト１５が羅合する筒状の連結シャフト２５、外周に沿って螺旋状のネジが形成されて連結シャフト２５に羅合すると共に、下端がハンドル１６にスプライン連結（図示せず）され、ハンドル１６の回動動作に伴って回動するネジ付シャフト１５、ネジ付シャフト１５に軸１６ａを介して接続され、オペレータの回動操作によってネジ付シャフト１５を回転させて、筐体４を上下にスライドさせる昇降用ハンドル１６、等を備えている。
【００１６】
また、計装ボックス５には、エアシリンダ１１、１４のエア圧を調整するエアーレギュレータ２３、キャップ締付部１０のスライド動作（昇降動作）やクランプ１２スライド動作を、夫々単独で行うための各種スイッチ群２０が備えられている。そして、オペレータが、計装ボックス５を介して、キャップ締付部１０のスライド量やクランプ１２のスライド量、エアシリンダ１１、１４のエア圧を調整できるように構成されている。
【００１７】
さらに、キャップ締付装置１は、計装ボックス５を介して設定された諸条件に基づき、図示されない制御装置が、キャップ締付部１０の上下方向のスライド動作、クランプ１２の水平方向のスライド動作を繰り返し制御する。さらに、キャップ締付装置１は、この図示されない制御装置を介して、オペレータがモータ６の回転スピード、キャプ締付部１０のキャップ締付トルク、キャプ締付部１０の昇降速度等を設定できるように構成されている。
【００１８】
次に、図３に表したように、キャップ締付部１０は、キャップＣに係合する筒状のチャック３１、キャップＣの天面が当接するストッパー３２、チャック３１及びストッパー３２を収納する一対のケース３３及び３４等を備えている。
【００１９】
ケース３３には、回動軸７が孔３７を介して挿通され、ワッシャ３８を介して回動軸７が上方へ係止されている。また、ケース３３には、ワッシャ３８及びボルト３６を下方にスライド自在に収納する空間部を備え、回動軸７がスプリング９のバネ圧に抗して下方に、スプリング止め８がケース３３上面に当接するまでスライドできるように構成されている。
【００２０】
また、チャック３１の軸方向の内周側には螺旋状の雌ネジ３１ｂが形成されると共に、ストッパー３２の軸方向の下方側外周には雌ネジ３１ｂに羅合する雄ネジ３２ｄが形成され、チャック３１の内周にストッパー３２が羅合している。
【００２１】
そして、チャック３１及びストッパー３２は、ケース３３に収納された後に、ケース３４に下方から支えられ、ケース３４がケース３３に締め付けられ、ケース３３とケース３４との間に支持される。さらに、チャック３１は、ケース３３の上方からケース３３を介してボルト３９に締め付けられ、ケース３３に固定されている。
【００２２】
次に、図３（ｃ）に表したように、キャップ締付部１０が使用されるキャップＣには、複数の凹溝Ｗが外周に沿って並設され、チャック３１には、凹溝Ｗに係合する突起部３１ａが内周に沿って複数形成されている。また、突起部３１ａは、チャック３１の軸方向の開口端に向かって径方向に広がるようにテーパ状に形成されている（図（ｂ）において、Ｄ１からＤ２に向かって内径が大きくなるテーパが形成されている）。
【００２３】
また、図３（ｂ）に表したように、チャック３１とケース３３との間には、キャップＣを付勢するバネ部材４０が収納されている。そして、キャップ締付部１０は、ストッパー３２がキャップＣの天面に当接した位置で、チャック３１に備えられた突起部ＷによってキャップＣを周方向に係合すると共に、バネ部材４０によって軸方向に係合する。
【００２４】
また、キャップ締付部１０は、チャック３１及びストッパー３２が前述のように雌ネジ３１ｂと雄ネジ３２ａによって羅合しチャック３１の突起部３１ａに軸方向のテーパが形成されているので、ストッパー３２をチャック３１に対して反時計周りに回転させると、ストッパー３２が上方にスライドし、そのスライド量に相当するテーパ分だけ、キャップＣとチャック３１との径方向の係合隙間が大きくなり、一方、ストッパー３２をチャック３１に対して時計周りに回転させると、ストッパー３２が下方にスライドし、そのスライド量に相当するテーパ分だけ、キャップＣとチャック３１との径方向の係合隙間が小さくなる、ように構成されている。
【００２５】
次に、図４に表したように、ストッパー３２には、軸方向の上方側（図３（ｂ）中の符号３２ｆ）に、外周に沿って所定の間隔毎で複数の凹部３２ｃが備えられ、チャック３１には、凹部３２ｃに向かって周壁を貫通するネジ孔３１ａと、ネジ孔３１ａに羅合してその頂部３５ｂを凹部３２ｃに係合するネジ部材３５とが備えられている。
【００２６】
また、ケース３３にはネジ部材３５と同軸上に貫通孔３３ｂが形成されており、オペレータが、この貫通孔３３ｂを介して工具をネジ部材３５の溝３５ａに係合させ、ネジ部材３５を凹部３２ｃに締め付けたり緩めたりすることができるように構成されている。
【００２７】
また、ストッパー３２の上面には、複数の凹部３２ｃの夫々に対応付けられた識別マーク３２ｂが刻印されて表示されている。凹部３２ｃは、ストッパー３２の外周を１６等分する位置に形成され、識別マーク３２ｂは、０から９までの数字とＡからＦまでの記号によって構成されている。また、チャック３１の雌ネジ３１ｂ及びストッパー３２の雄ネジ３２ｄのピッチは２ｍｍであって、チャック３１に対し、ストッパー３２を凹部３２ｃ１つ分だけ回転させるとストッパー３２が軸方向に２／１６ｍｍだけスライドするように構成されている。
【００２８】
また、チャック３１には軸方向に沿って貫通孔３２ａが形成されており、オペレータが下方から貫通孔３２ａに工具を係合させてストッパー３２をチャック３１に対して回転させることができるように構成されている。
【００２９】
また、図３（ａ）に表したように、ケース３３には、ネジ部材３５上方に開口孔３３ａが形成されており、オペレータが外部よりンジ部材３５に係合する識別マーク３２ｂを目視できるように構成されている。
【００３０】
以下に、前記の構成を有するキャップ締付装置１の作用効果を記載する。
【００３１】
本実施例に記載のキャップ締付装置１によれば、チャック３１には、キャップＣの凹溝Ｗに係合する突起部３１ａがチャック３１の軸方向の開口端に向かって径方向に広がるようにテーパ状に形成され、キャップＣの天面に当接するストッパー３２と、ストッパー３２をキャップＣの軸方向に沿ってスライドさせるスライド機構とを備えているので、スライド機構を操作してストッパー３２の位置を軸方向に移動させ、キャップＣの凹部Ｗとチャック３１の凸部３１ａとの径方向の係合隙間を調整し、キャップＣとチャック３１との係合及び取り外しの際の、操作性を容易に調整できる。
【００３２】
また、本実施例に記載のキャップ締付装置１によれば、ストッパー３２に、軸方向の下方側外周に螺旋状の雄ネジ部３２ｄを備えると共に、チャック３１に、軸方向の上方側内周に雄ネジ部３２ｄが羅合する雌ネジ部３１ｂを備えているので、チャック３１に対してストッパー３２を回転させ、ストッパー３２をキャップＣの軸方向に沿ってスライドさせることができる。
【００３３】
また、本実施例に記載のキャップ締付装置１によれば、ストッパー３２には、軸方向の上方側に、外周に沿って所定の間隔毎で複数の凹部３２ｃが備えられ、チャック３１には、凹部３２ｃに向かって周壁を貫通するネジ孔３１ａと、ネジ孔３１ａに羅合してその頂部３５ｂを凹部３２ｃに係合するネジ部材３５とが備えられているので、ネジ部材３４を凹部３２ｃに係合させてネジ締めし、ストッパー３２を所定の位置でチャック３１に固定できる。
【００３４】
また、本実施例に記載のキャップ締付装置１によれば、ストッパー３２には、複数の凹部３２ｃの夫々に対応付けられた識別マーク３２ｂが表示され、オペレータが外部より識別マーク３２ｂを目視できるように、ストッパー３２を覆うケース３３に開口孔３３ａが形成されているので、オペレータが、ストッパー３２を回転させつつ、開口孔３３ａより識別マークを確認し所望の回転量を得ることができ、延いては、チャック３１の突起部３１ａとキャップＣの凹溝Ｗとの係合隙間を容易に調整できる。
【００３５】
また、本実施例に記載のキャップ締付装置１によれば、ストッパー３２には、軸方向に沿って貫通する複数の貫通孔３２ａが備えられているので、ストッパー３２の下方から、貫通孔３２ａに工具を係合させ、工具を介してストッパー３２を回転させることができる。
【００３６】
以上、本発明の一実施例について説明したが、本発明は、前記実施例に限定されるものでなく、種各の態様を取ることができる。
【００３７】
例えば、本実施例のキャップ締付部１０において、ストッパー３２の外周を１６等分する複数の凹部３２ｃを形成したが、凹部３２の隣接間隔を等分に形成する代わり、除々に隣接間隔が小さくなるように形成してもよい。
【００３８】
また、本実施例のキャップ締付部１０において、識別マークをストッパーの上面に表示したが、識別マークをストッパーの上面に表示する代わりにストッパーの外周に表示してもよい。その際、ケース３３には、上壁に開口孔３３ａを形成する代わりに、側壁に開口孔を形成すればよい。
【図面の簡単な説明】
【００３９】
【図１】本発明の一実施例のキャップ締付装置の外観図である。
【図２】図１中の矢印Ａ方向から表した外観図である。
【図３】同実施例のキャップ締付装置におけるキャップ締付部の構成を表す図であって、（ａ）は軸方向上方から表した上面図、（ｂ）は、（ａ）中のＰ−Ｐ断面図、（ｃ）は、軸方向下方から表した一部の下面図である。
【図４】（ａ）は、図３（ｂ）中のＹ−Ｙ断面図、（ｂ）は、図３（ｂ）中のＵ−Ｕ断面図である。
【符号の説明】
【００４０】
１…キャップ締付装置、２…ベース部材、３…支柱、４…筐体、５…計装ボックス、６…モータ、７…回動軸、８…スプリング止め、９…スプリング、１０…キャップ締付部、１１，１４…エアシリンダ、１２，１３…クランプ、１５…ネジ付シャフト、１６…ハンドル、１６ａ…軸、２０…スイッチ群、２２…固定レバー、２３…エアーレギュレータ、２５…連結シャフト、３１…チャック、３１ａ…ネジ孔、３１ｂ…雌ネジ、３２…ストッパー、３２ａ…貫通孔、３２ｂ…識別マーク、３２ｃ…凹部、３２ｄ…雄ネジ、３３，３４…ケース、３３ａ…開口孔、３３ｂ…貫通孔、３５…ネジ部材、３５ａ…溝、３５ｂ…頂部、３７…孔、３８…ワッシャ、３６，３９…ボルト、４０…バネ部材。
【図１】
2006131266.tif 000003
【図２】
2006131266.tif 000004
【図３】
2006131266.tif 000005
【図４】
2006131266.tif 000006